(57)【要約】【課題】フラットハーネスに大きな引張力や押し戻し力が繰り返し作用した場合でも、フラットハーネスを位置ずれなくしっかりと固定できるようにする。【解決手段】交差する二つの板部５，６と、各板部に設けられ、交差方向に折り曲げたフラットハーネス２の各ハーネス部分１４，１５を挿通させる複数の並列なスリット９，１０とを備える第一の固定部材３と、フラットハーネスの交差部分２ａと一方の板部５を収容する収容室２４と、一方のハーネス部分１４を収束して導出させる開口２６とを有して、第一の固定部材を固定する第二の固定部材４とで構成されるフラットハーネス固定具１を基本とする。板部５，６を連結する隔壁３３を設け、隔壁の傾斜状の端部３４をフラットハーネスの折り曲げ部１６の内端面１６ｂに当接させた。第二の固定部材４に、フラットハーネス２の折り曲げ部１６の外端面１６ａを当接させる傾斜面２７を設けた。【選択図】図１
2010148282.tif 000002
【特許請求の範囲】
【請求項１】
交差する二つの板部と、各板部に設けられ、交差方向に折り曲げたフラットハーネスの一方のハーネス部分と他方のハーネス部分とを挿通させる複数の並列なスリットとを備える第一の固定部材と、
少なくとも該フラットハーネスの交差部分と一方の板部とを収容する収容室と、該収容室に連通し、該一方の板部から導出された一方のハーネス部分を収束して導出させる開口とを有して、該第一の固定部材を固定する第二の固定部材と、で構成されることを特徴とするフラットハーネス固定具。
【請求項２】
前記一方の板部のスリットと他方の板部のスリットとが交互に配置されたことを特徴とする請求項１記載のフラットハーネス固定具。
【請求項３】
前記一方の板部の内面に前記他方のハーネス部分の側端が当接し、前記他方の板部の内面に前記一方のハーネス部分の側端が当接することを特徴とする請求項１又は２記載のフラットハーネス固定具。
【請求項４】
前記二つの板部を連結する隔壁が設けられ、該隔壁の傾斜状の端部が前記フラットハーネスの折り曲げ部の内端面に当接することを特徴とする請求項１又は２記載のフラットハーネス固定具。
【請求項５】
前記第二の固定部材に、前記フラットハーネスの折り曲げ部の外端面を当接させる傾斜面が設けられたことを特徴とする請求項１〜４の何れかに記載のフラットハーネス固定具。
【発明の詳細な説明】
【技術分野】
【０００１】
本発明は、複数枚のフラットハーネスを折り曲げた状態で固定するフラットハーネス固定具に関するものである。
【背景技術】
【０００２】
図７は、従来のフラットハーネス固定具の一形態を示すものである（特許文献１参照）。
【０００３】
このフラットハーネス固定具６１は、合成樹脂製のハーネスプロテクタの一種であり、ベース６２とカバー６３とで構成され、ベース６２は矩形樋状に形成され、長手方向中間部に段差部６４を有し、カバー６３は、ベース６２の上部開口を塞ぐ天板部６５と、段差部６４に対向して側部開口を塞ぐ段差板部６６とを有し、ベース６２とカバー６３は側部の係止手段６７で相互に固定される。
【０００４】
複数枚のフラットハーネス６８が段差部６４，６６に対応してクランク状に屈曲され、その状態でベース６２内に収容される。カバー６３のクリップ６９が車両ボディ等の孔部に挿入固定される。フラットハーネス６８の段差部６８ａがベース６２の段差部６４とカバー６３の段差部６６とに当接して、フラットハーネス６８の長手方向の引張時や押圧時の移動が阻止される。
【特許文献１】特開２００４−１６６４１０号公報（図１）
【発明の開示】
【発明が解決しようとする課題】
【０００５】
しかしながら、上記従来のフラットハーネス固定具６１にあっては、フラットハーネス６８に引張力や引張反対方向の押し戻し力が繰り返し作用した場合に、段差部６４，６６においてフラットハーネス６８に滑りやズレを生じ、ハーネス固定力が低下するという懸念があった。
【０００６】
また、フラットハーネス６８の枚数が規定よりも少ないと、段差部６６との間に隙間を生じてフラットハーネス６８が引張や押し戻しで容易に移動してしまい、そのために、フラットハーネス６８の使用枚数に応じて複数種のハーネス固定具６１を用意しなければならないという懸念があった。
【０００７】
特に、一枚から複数枚のフラットハーネスを例えば自動車のスライドドアの給電等に使用する場合は、フラットハーネスに大きな引張力や押し戻し力が繰り返し作用するため、これらの力に耐えてフラットハーネスを確実に固定させる固定具が必要であった。
【０００８】
本発明は、上記した点に鑑み、フラットハーネスに大きな引張力や押し戻し力が繰り返し作用した場合でも、フラットハーネスを位置ずれなくしっかりと固定することができ、しかもフラットハーネスの使用枚数を一種類の固定具で適宜設定することのできるフラットハーネス固定具を提供することを目的とする。
【課題を解決するための手段】
【０００９】
上記目的を達成するために、本発明の請求項１に係るフラットハーネス固定具は、交差する二つの板部と、各板部に設けられ、交差方向に折り曲げたフラットハーネスの一方のハーネス部分と他方のハーネス部分とを挿通させる複数の並列なスリットとを備える第一の固定部材と、少なくとも該フラットハーネスの交差部分と一方の板部とを収容する収容室と、該収容室に連通し、該一方の板部から導出された一方のハーネス部分を収束して導出させる開口とを有して、該第一の固定部材を固定する第二の固定部材と、で構成されることを特徴とする。
【００１０】
上記構成により、複数枚のフラットハーネスがそれぞれ９０°等の交差方向に折り曲げられて、各フラットハーネスの一方のハーネス部分が第一の固定部材の一方の板部の各スリットに挿通され、他方のハーネス部分が他方の板部の各スリットに挿通される。その状態で、第一の固定部材の少なくとも一方の板部（他方の板部を同時に収容してもよい）とフラットハーネスの交差部分（折り曲げて重なった部分とその近傍部分）が第二の固定部材の収容室に収容され、各一方のハーネス部分が板厚方向に重なった状態で、収容室に続く開口から外部に導出され、各他方のハーネス部分が他方の板部の各スリットから外部に導出される。フラットハーネスの使用枚数はスリット数と同じに限らず、それ以下でもよい（空きのスリットを作ることで使用枚数を吸収できる）。
【００１１】
その組立状態で、一方のハーネス部分に長手方向の引張力が作用した場合は、他方のハーネス部分が他方の板部のスリットの終端に当接して引張力を受け止め、逆方向の押し戻し力が作用した場合は、収容室内で一方の板部と開口との間で一方のハーネス部分が撓んで押し戻し力を吸収すると共に、他方のハーネス部分が収容室の内壁面に当接して押し戻し力を受け止める。これにより、一方のハーネス部分の移動（位置ずれ）が阻止される。他方のハーネス部分の作用は上記一方のハーネス部分と同様である。
【００１２】
請求項２に係るフラットハーネス固定具は、請求項１記載のフラットハーネス固定具において、前記一方の板部のスリットと他方の板部のスリットとが交互に配置されたことを特徴とする。
【００１３】
上記構成により、フラットハーネスの折り曲げ部を境に一方のハーネス部分と他方のハーネス部分とが板厚方向にずれて配置されるが、両板部のスリットがずれているので、両ハーネス部分の板厚方向のずれを吸収して、スリットへのスムーズなハーネス挿通を可能とする。
【００１４】
請求項３に係るフラットハーネス固定具は、請求項１又は２記載のフラットハーネス固定具において、前記一方の板部の内面に前記他方のハーネス部分の側端が当接し、前記他方の板部の内面に前記一方のハーネス部分の側端が当接することを特徴とする。
【００１５】
上記構成により、フラットハーネスの交差部分（一方のハーネス部分と他方のハーネス部分との重なり部）における交差する二つの側端が、交差する一方の板部と他方の板部との各内面に同時に当接することで、フラットハーネスが第一の固定部材に、交差する二方向への位置ずれなく確実に保持される。
【００１６】
請求項４に係るフラットハーネス固定具は、請求項１又は２記載のフラットハーネス固定具において、前記二つの板部を連結する隔壁が設けられ、該隔壁の傾斜状の端部が前記フラットハーネスの折り曲げ部の内端面に当接することを特徴とする。
【００１７】
上記構成により、フラットハーネスの交差部分における両ハーネス部分の重なり部の間に隔壁が進入し、両ハーネス部分の重なり部の内面が隔壁の外面に接すると共に、隔壁の先端である傾斜状の端部が同角度に傾斜した折り曲げ部の内端面に当接する。各ハーネス部分に強い引張力が作用した際に、折り曲げ部の内端面が隔壁の傾斜状の端部に当接して引張力を受け止め、各ハーネス部分の移動を阻止する。
【００１８】
請求項５フラットハーネス固定具は、請求項１〜４の何れかに記載のフラットハーネス固定具において、前記第二の固定部材に、前記フラットハーネスの折り曲げ部の外端面を当接させる傾斜面が設けられたことを特徴とする。
【００１９】
上記構成により、第二の固定部材の収容室内でフラットハーネスの折り曲げ部の外端面が傾斜面に当接して安定に支持される。また、各ハーネス部分に強い押し戻し力が作用した際に、折り曲げ部の外端面が傾斜面に当接することで、押し戻し力が受け止められて、各ハーネス部分の位置ずれが阻止される。
【発明の効果】
【００２０】
請求項１記載の発明によれば、フラットハーネスの交差した各ハーネス部分が各板部のスリットの終端に当接して引張力を受け止め、また、各ハーネス部分が収容室の内面に当接して押し戻し力を受け止めるから、強い引張力や押し戻し力が作用した場合でもフラットハーネスの位置ずれを生じることがなく、フラットハーネスの固定強度を高めることができる。これにより、繰り返しの引張や押し戻しに伴うフラットハーネスの疲労や耐久性の低下を生じることがなく、フラットハーネスによる給電等の信頼性が高まる。
【００２１】
また、フラットハーネスの使用枚数をスリットの数の範囲内で適宜設定することができるから、一種類のフラットハーネス固定具で他種類のハーネス配索仕様に対応することができる。
【００２２】
請求項２記載の発明によれば、フラットハーネスの両ハーネス部分の板厚方向のずれを両スリット間の寸法で吸収して、各スリットへのハーネス部分の挿通作業を容易に行うことができると共に、挿通されたハーネス部分に板厚方向の曲げ応力が作用せず、繰り返しの引張・押し戻しに対する耐久性が高まる。
【００２３】
請求項３記載の発明によれば、各ハーネス部分に引張力が作用した際に、各ハーネス部分の側端が各板部の内面に当接して引張力を受け止めることで、フラットハーネスの固定（保持）力が高まり、各ハーネス部分の位置ずれが阻止されて、繰り返しの引張に対するフラットハーネスの耐久性が高まる。
【００２４】
請求項４記載の発明によれば、フラットハーネスの各ハーネス部分を隔壁に沿って各板部のスリットに挿通させることができ、フラットハーネスの組付作業性が向上する。また、各ハーネス部分に強い引張力が作用した際に、フラットハーネスの折り曲げ部の内端面が隔壁の外端面に当接することで、各ハーネス部分の位置ずれが確実に阻止され、繰り返しの引張に対するフラットハーネスの耐久性が高まる。
【００２５】
請求項５記載の発明によれば、各ハーネス部分に強い押し戻し力が作用した際に、折り曲げ部の外端面が収容室の傾斜面に当接して各ハーネスの位置ずれを確実に阻止することで、繰り返しの押し戻しに対するフラットハーネスの耐久性が高まる。
【発明を実施するための最良の形態】
【００２６】
図１〜図３は、本発明に係るフラットハーネス固定具の第一の実施形態を示すものである。
【００２７】
図１の如く、このフラットハーネス固定具１は、複数枚のフラットハーネス（フラットワイヤハーネス）２を９０°方向に折り曲げた状態で保持する上側（第一）の固定部材３と、上側の固定部材３をフラットハーネス２ごと組み付ける下側（第二）の固定部材４とで構成されている。両固定部材３，４は合成樹脂で形成されることが好ましい。
【００２８】
図２にも示す如く、上側の固定部材３は、垂直な前側（一方）の板部５と水平な上側（他方）の板部６とで直交して構成され、各板部５，６は櫛歯状に形成され、各櫛歯７，８はスリット９，１０で分離され、前側の板部５のスリット９と上側の板部６のスリット１０とは交互（互い違い）に位置ずれして等ピッチで配置されている。
【００２９】
図１の如く、上側の板部６のスリット１０は板部６の後端６ａから前端側にかけて真直に設けられ、板部６の前端６ｂから前側の板部５のほぼ板厚分だけ（正確には板厚の範囲内で）後方にスリット１０の終端１０ａが位置している。前側の板部５のスリット９は板部５の下端から上端側にかけて真直に設けられ、板部５の上端５ｂから上側の板部６のほぼ板厚分だけ（正確には板厚の範囲内で）下方にスリット９の終端９ａが位置している。
【００３０】
図２の如く、上側の板部６の各櫛歯８の下面（板部６の内面）６ｃは、上側の各スリット１０に沿って板部６の後端６ａから前側の板部５の後面（内面）５ｃにかけて水平に形成され、各下面６ｃは櫛歯８のスリット１０内の側面に直交して位置し、各下面６ｃの幅方向中間部に前側の板部５の櫛歯７のスリット９内の側面が直交して位置し、下面６ｃは前側のスリット９の終端９ａを同一面に有し、後面５ｃは上側のスリット１０の終端１０ａを同一面に有している。
【００３１】
図１の如く、上側の板部６は左右両側に円弧部１２を有し、両円弧部１２にボルト挿通用の孔部１３を有している。図２では左側の円弧部１２を左端のスリット１０から前側の左端の櫛歯８と共に切欠している。前側の板部５は複数の櫛歯７のみで構成され、上側の板部６よりも円弧部１２のない分、左右方向に幅狭に形成されている。
【００３２】
図１の如く、各フラットハーネス２は長手方向中間部で９０°方向に折り曲げられて、前向き（一方）の水平な（板厚方向が水平な）ハーネス部分１４と、上向き（他方）の垂直なハーネス部分１５とで構成されている。折り曲げ部１６は４５°方向に傾斜している。
【００３３】
中央のフラットハーネス２を除いて、前向きのハーネス部分１４に、上向きのハーネス部分１５の前端の近傍でくの字状の鈍角的な内向きの屈曲部１７が形成され、屈曲部１７の屈曲線は垂直に位置し、外側（左右端側）のフラットハーネス２ほど屈曲部１７の屈曲角度が小さく、屈曲部１７の前方に続く各傾斜板部１８は相互に近接しつつ略Ｖ字状に収束している。
【００３４】
中央のフラットハーネス２を除いて、各傾斜板部１８に続いて逆くの字状の鈍角的な外向きの屈曲部１９が形成され、屈曲部１９の屈曲線は垂直に位置し、屈曲部１９の前方に続く各真直板部２０が左右方向に並列に重なって厚板状に収束されている。中央のフラットハーネス２は上向きのハーネス部分１５の折り曲げ部１６に続いて真直な前向きのハーネス部分２０を有している。
【００３５】
上向きの各ハーネス部分１５は隙間を存して左右方向に並列に且つ真直に配置され、折り曲げ部１６に続く前向きのハーネス部分１４の真直板部２１の一側面（右面）が隣の上向きのハーネス部分１５の他側面（左面）に接触ないし若干の隙間を存して接している。
【００３６】
図１では各ハーネス部分１４，１５を短く図示しているが、実際には各ハーネス部分１４，１５は上方や前方に長く延長されている。前向きのハーネス部分１４は上向きのハーネス部分１５よりも長く延長されることが多い。実際には、図１のように複数のフラットハーネス２が独立してフラットハーネス群を構成するのではなく、図２のようにフラットハーネス２が一枚ずつ上側の固定部材３に組み付けられることが好ましい。
【００３７】
図２の如く、各フラットハーネス２の上向きのハーネス部分１５が上側の固定部材３の上側の板部６の各スリット１０に挿通され、前向きのハーネス部分１４が前側の板部５の各スリット９に挿通される。各スリット９，１０への各ハーネス部分１４，１５の挿入方向は矢印Ａの如く略４５°の方向であり、両ハーネス部分１４，１５を両板部５，６のスリット９，１０に同時に挿入可能である。
【００３８】
フラットハーネス２の交差部分２ａにおいて、折り曲げ部１６に続く前向きのハーネス部分１４の略三角形状（台形状）の真直板部２１の水平な上端（側端）２１ａが上側の板部６の櫛歯８の下面６ｃに当接すると同時に、折り曲げ部１６に続く上向きのハーネス部分１５の垂直な前端（側端）１５ｄが前側の板部５の櫛歯７の後面５ｃに当接する。上端２１ａの前側部分は下面６ｃと同一面の（下面６ｃの一部である）スリット９の終端９ａに当接し、前端１５ｄの上側部分は後面５ｃと同一面の（後面５ｃの一部である）スリット１０の終端１０ａに当接する。上端２１ａは櫛歯８の全長に渡って下面６ｃに当接し、前端１５ｄは櫛歯７の全長に渡って後面５ｃに当接する。これにより、フラットハーネス２が上側の固定部材３に確実に位置決め保持される。
【００３９】
なお、明細書中で上下前後左右の方向性は説明の便宜上のものであり、必ずしもフラットハーネス固定具１の取付方向と一致するとは限らない。
【００４０】
上向きのハーネス部分１５の左右両側面１５ａ，１５ｂは上側の板部６のスリット１０の両内面に接し、前向きのハーネス部分１４の真直板部２１の前端側の左右両側面２１ｂ，２１ｃは前側の板部５のスリット９の両内面に接して、各ハーネス部分１４，１５の導出方向が規定される。両板部５，６の各スリット９，１０の内面と各ハーネス部分１４，１５の両側面２１ｂ，２１ｃ、１５ａ，１５ｂとの接触摩擦抵抗でフラットハーネス２が保持される。上側の固定部材３と各フラットハーネス２とでハーネスサブ組立体２２が構成される。ハーネスサブ組立体２２の状態で図１の下側の固定部材４に各フラットハーネス２が組み付けられる。
【００４１】
フラットハーネス２は複数本の並列な金属導体（図示せず）を表裏の可撓性の絶縁樹脂シートで挟んで接着固定して成る、あるいは一体樹脂成形して成る既存のものであり、板厚方向の可撓性を有して板厚方向に屈曲自在である。
【００４２】
図１の如く、下側の固定部材４は、短円柱状の壁部２３の内側に略矩形状の収容室２４を有し、収容室２４の前側の左右両側の傾斜面２５が周壁２３ａの外面の縦長スリット状の開口２６に連通し、収容室２４の後半には後上がりの傾斜面２７が設けられ、傾斜面２７の下端は円板状の底壁２３ｂに交差して続き、傾斜面２７の上端は周壁２３ａの上面に交差して続いている。
【００４３】
傾斜面２７は中央部分で切欠され、切欠空間２８内に底壁２３ｂのボルト挿通用の孔部２９と、孔部２９の上側に続くボルト頭部又はナットに対する収容凹部３０が設けられている。収容室２４の外側で周壁２３ａの左右両側に小ボルト挿通用の孔部３１が上下に貫通して設けられている。
【００４４】
図３の如く、各フラットハーネス２の交差部分２ａが下側の固定部材４の収容室２４に上側の固定部材３と共に収容され、前向きの各ハーネス部分１４が収束されて下側の固定部材４の開口２６から外部に導出され、各折り曲げ部１６（図１）が収容室２４内の傾斜面２７（図１）に当接して支持される。交差部分２ａとは両ハーネス部分１４，１５の重なり部分とその近傍部分（特に前向きのハーネス部分１４を多く含む部分）を言う。
【００４５】
上側の固定部材３の上側の板部６の両側の円弧部１２の下面が下側の固定部材４の周壁２３ａの上端面に当接し、左右のボルト３２で下側の固定部材４の底壁２３ｂに固定されるか、あるいは底壁２３ｂを貫通して外部に固定される。上側の固定部材３の前側の板部５の左右端の櫛歯７の外側面は収容室２４の内面に接し、左右端の櫛歯７の前端が収容室２４の前側の傾斜壁面２５に当接して位置規定される。前側の板部５の下端面は底壁２３ｂの上面に当接する。下側の固定部材４は中央のボルト又はナットで外部（車両ボディ等）に固定される。
【００４６】
フラットハーネス２の上向きのハーネス部分１５は上側の固定部材３の上側のスリット１０を経て外部に導出され、前向きのハーネス部分１４は前側のスリット９を経て収容室２４内で略Ｖ字状に収束されつつ幅狭な開口２６から外部に導出される。開口２６の左右端に左右端のハーネス部分１４の外面が接する。
【００４７】
このように、上側の固定部材３の前側及び上側の各スリット９，１０内でフラットハーネス２の前向き及び上向きの各ハーネス部分１４，１５が保持された状態で、下側の固定部材４の収容室２４に収容されるから、フラットハーネス２の前向き及び上向きの各ハーネス部分１４，１５に強い引張力や押し戻し力が作用した場合でも、フラットハーネス２が位置ずれや外れなくしっかりとハーネス固定具１に固定される。
【００４８】
例えば前向きのハーネス部分１４に強い引張力が作用した場合は、上向きのハーネス部分１５が上側の板部６のスリット１０の前端（終端）１０ａに当接して引張力を受け止め、逆方向の強い押し戻し力が作用した場合は、前側の板部５の前面と収容室２４の開口２６との間で前向きの各ハーネス部分１４の傾斜板部１８が撓んで押し戻し力を吸収すると共に、フラットハーネス２の折り曲げ部１６の外端面が収容室２４の後半の傾斜面２７（図１）に当接して、押し戻し力を受け止める。傾斜面２７を設けない場合は、上向きのハーネス部分１５の後端１５ｃ（図１」が収容室２４の垂直な後壁面（図示せず）に当接して、押し戻し力を受け止める。これにより、前向きのハーネス部分１４の移動が阻止される。この作用は上向きのハーネス部分１５についても同様である。
【００４９】
収容室内の傾斜面２７にフラットハーネス２の折り曲げ部１６の外端面１６ａ（図２）が当接することで、フラットハーネス２の上下回動方向の位置ずれが確実に防止され、且つ収容室内でのフラットハーネス２の支持の安定性が増す。また、前向きのハーネス部分１４や上向きのハーネス部分１５に強い押し戻し力（引張力とは反対の力）が作用した場合に、傾斜面２７が押し戻し力を確実に受け止めて、フラットハーネス２の位置ずれや抜け出しを確実に防止する。
【００５０】
なお、傾斜面２７を設けずに矩形状の収容室（２４）のみでも、上向きのハーネス部分１５の後端１５ｃが収容室２４の垂直な後壁面（図示せず）に当接し、前向きのハーネス部分１４の下端が底壁２３ｂの上面に当接することで、フラットハーネス２の上下回動方向の位置ずれは防止され、且つフラットハーネス２の固定はしっかりと行われる。
【００５１】
上記したフラットハーネス固定具１は上側と下側の固定部材３，４の二点で構成されるから、部品点数が少なく、また、近接した各スリット９，１０にフラットハーネス２を直交方向に密に挿通させることで、構造がコンパクト化されている。
【００５２】
図４〜図６は、本発明に係るフラットハーネス固定具の第二の実施形態を示すものである。
【００５３】
このフラットハーネス固定具１’は、上側の固定部材３’に、前側の板部５と上側の板部６とを連結する略三角形状の隔壁３３を設けた点で、上記第一の実施形態と相違している。その他の構成は上記第一の実施形態と同様であるので、同様の構成部分には同じ符号を付して詳細な説明を省略する。
【００５４】
図４の如く、フラットハーネス固定具１’は、複数枚のフラットハーネス２を９０°方向に折り曲げた状態で保持する上側の固定部材３’と、上側の固定部材３’を各フラットハーネス２ごと組み付ける下側の固定部材４とで構成されている。
【００５５】
上側の固定部材３’は、垂直な前側の板部５と、水平な上側の板部６と、両板部５，６を連結する複数枚の隔壁３３とで構成され、各板部５，６は複数のスリット９，１０と、スリット９，１０で分離された櫛歯７，８とを等ピッチで並列に有し、前側のスリット９と上側のスリット１０とは交互（互い違い）に配置されている。
【００５６】
図５の如く、隔壁３３は上側の板部６の櫛歯８と同じ板厚に形成され、後端側に、上側の櫛歯８の後端面６ａに続く下向き延長部３４ａと、前側の櫛歯７の下端面に続く後向き延長部３４ｂとを含む傾斜状でリブ形状の突条（後端部）３４を有している。突条３４の一側面（右面）３４ｃは櫛歯８の一側面（スリットの一内面）すなわち隔壁３３の一側面３３ａと同一面に位置し、突条３４の他側面（左面）３４ｄは段差部（段差面）３５を介して櫛歯８の他側面（スリット１０の他内面）すなわち隔壁３３の他側面３３ｂと同一面に位置している。突条３４は幅狭な後端面３４ｅを有している。突条３４は隔壁３３の後端部（端部）をなす。
【００５７】
図５ではフラットハーネス２の折り曲げ方向を図４とは逆にした例で示している。フラットハーネス２は図２の例と同様に折り曲げられて、傾斜状の折り曲げ部１６を境にして前向きのハーネス部分１４と上向きのハーネス部分１５とで成り、前向きのハーネス部分１４は折り曲げ部１６に続く真直板部２１と、真直板部２１に続く内向きの第一の屈曲部１７と、第一の屈曲部１７の前側の短い傾斜板部１８に続く外向きの第二の屈曲部１９と、第二の屈曲部１９に続く長い帯状の真直板部２０とを有している。
【００５８】
フラットハーネス２は矢印Ａの如く上側の固定部材３’に組み付けられ、前向きのハーネス部分１４が各隔壁３３の間を通って（隔壁３３に沿って案内されて）前側のスリット９に挿入（挿通）され、それと同時に、上向きのハーネス部分１５が同じく各隔壁３３の間を通って（隔壁３３に沿って案内されて）上側のスリット１０に挿入（挿通）される。隔壁３３がガイドとして作用することで、フラットハーネス２をスムーズ且つ容易に各スリット９，１０に挿入することができる。
【００５９】
そして、フラットハーネス２の折り曲げ部１６の内端面１６ｂが隔壁３３の先端の傾斜状の突条３４の後端面３４ｅに当接して支持される。折り曲げ部１６に続く前向きのハーネス部分１４の真直板部２１の内側の側面２１ｃは隔壁３３の一側面（左面）３３ｂに接し、折り曲げ部１６に続く上向きのハーネス部分１５の内側の側面１５ａが隔壁３３の他側面（右面）３３ａに接する。折り曲げ部１６を境に前向きのハーネス部分１４と上向きのハーネス部分１５とが隔壁３３を挟むように配索される。
【００６０】
前向きのハーネス部分１４や上向きのハーネス部分１５に外側から強い引張力が作用した場合でも、折り曲げ部１６の内端面１６ｂが隔壁３３の傾斜状の後端面すなわち突条３４の後端面３４ｅに当接することで、引張力がしっかりと受け止められて、フラットハーネス２の位置ずれや抜け出しが確実に防止される。また、折り曲げ部１６の内端面１６ｂが隔壁３３の傾斜状の後端面に当接することで、フラットハーネス２が上側の固定部材６にしっかりと位置決め保持される。下側の固定部材４（図４）の収容室２４内に傾斜面２７を設けた場合は、図６の組立状態で、傾斜面２７と隔壁３３の後端面との間にフラットハーネス２の折り曲げ部１６が挟まれて強固に固定される。
【００６１】
図６の如く、上側の固定部材３’の左右端の隔壁３３の側面３３ａ，３３ｂが下側の固定部材４の収容室２４の左右の内面に接し、且つ左右端の隔壁３３の前端が収容室２４の前側の傾斜面２５に当接して位置規定される。収容室２４の後半の傾斜面２７（図４）に隔壁３３の傾斜状の後端面３４ｅがフラットハーネス２の折り曲げ部１６を介して当接することで、各隔壁３３が収容室２４内に安定に支持される。隔壁３３の傾斜状の後端面３４ｅが折り曲げ部１６の内端面１６ｂに当接し、折り曲げ部１６の外端面１６ａが後半の傾斜面２７に当接する。後半の傾斜面２７がない場合でも、略三角形状の隔壁３３でフラットハーネス２を安定に保持させることができる。
【００６２】
本例の隔壁３３の傾斜状の後端部は板厚方向に段付に形成され、段部３５で隔壁３３の後端部が板厚の薄い突条３４として構成され、これにより、フラットハーネス２の交差部分２ａ（両ハーネス部分１４，１５の重なり部分）の内側への隔壁３３の進入が容易化されると共に、折り曲げ部１６の近傍の略三角形状（台形状）の重なり部分の開き変形が防止されている。
【００６３】
上記各実施形態のフラットハーネス固定具１，１’においては、全てのスリット９，１０に各フラットハーネス２を挿通させたが、使用するフラットハーネス２の数が少ない場合は、空きのスリット９，１０を生じさせて、一種類のハーネス固定具１，１’で適宜フラットハーネス２の使用枚数に対応することができる。
【００６４】
第二の実施形態においては、上側の固定部材３’に複数枚の隔壁３３を設けたが、隔壁３３は全て下側の固定部材４の収容室２４内に収容されるので、構造の小型化は第一の実施形態と同様に達成される。また、上下の固定部材３’，４の二部品構造であるから、部品点数が少なく、組立が容易であることも第一の実施形態と同様である。
【００６５】
上記各実施形態のフラットハーネス固定具１，１’は、一例として、自動車のスライドドア（可動構造体）の給電装置の一部として使用することができる。この場合、ハーネス固定具１，１’は給電装置（図示せず）の環状のケース内の中心の軸部として使用し、ハーネス固定具１，１’の開口２６から導出させた複数のフラットハーネス２をケース内で螺旋状に屈曲させ、ケースの開口から外部に導出させる。例えば、ケースは車両ボディ（固定構造体）に水平に配置され、フラットハーネス２はケースの開口からスライドドアに配索されて、スライドドア側の回路や補機等に接続される。
【００６６】
あるいは、上記と類似する他の給電装置（図示せず）からスライドドア側に導出された複数枚のフラットハーネス２をハーネス固定具１，１’の開口２６から導入させた状態で、スライドドアにハーネス固定具１，１’ごと固定することも可能である。スライドドア以外にスライドシートや回動式のドア等への給電にも適用することができる。何れの場合も、フラットハーネス固定具１，１’の配置は上向き（図３，図６の状態）に限らず、横向きや下向き等とすることが可能である。
【００６７】
なお、上記各実施形態で説明した構成は、フラットハーネス固定具１，１’として以外にフラットハーネスの固定構造や、フラットハーネス固定具１，１’を用いたハーネス配索構造等としても有効なものである。
【００６８】
また、上記各実施形態においては、上側の固定部材３，３’の前側と上側の各板部５，６を直交させたが、フラットハーネス２の導出方向が９０°方向ではなく９０°以上ないし以下の場合は両板部５，６を鈍角的ないし鋭角的に交差させることで対応可能である。直交も交差の一部である。
【００６９】
また、上記各実施形態においては、前側と上側の各板部５，６のスリット９，１０を交互にずらして配置したが、各板部５，６のスリット９，１０を同一面に配置することも可能である。但し、この場合は、前向きと上向きの何れか一方のハーネス部分１４（１５）を意識的に他方のハーネス部分１５（１４）に寄せてスリット９，１０に挿通させる必要があるので、フラットハーネス２の挿通作業性はやや低下する。
【００７０】
また、上記実施形態においては、フラットハーネス２の交差部分２ａと共に上側の固定部材３，３’の前側の板部５を下側の固定部材４の収容室２４内に収容し、上側の板部６は収容室２４から上方に突出させたが、収容室２４に前側の板部５と共に上側の板部６を収容して固定することも可能である。
【図面の簡単な説明】
【００７１】
【図１】本発明に係るフラットハーネス固定具の第一の実施形態を示す分解斜視図である。
【図２】フラットハーネス固定具の上側の固定部材にフラットハーネスを組み付ける状態を示す一部断面とした斜視図である。
【図３】同じくフラットハーネス固定具の組立状態を示す斜視図である。
【図４】本発明に係るフラットハーネス固定具の第二の実施形態を示す分解斜視図である。
【図５】フラットハーネス固定具の上側の固定部材にフラットハーネスを組み付ける状態を示す一部断面とした斜視図である。
【図６】同じくフラットハーネス固定具の組立状態を示す斜視図である。
【図７】従来のフラットハーネス固定具の一形態を示す分解斜視図である。
【符号の説明】
【００７２】
１，１’  フラットハーネス固定具
２        フラットハーネス
２ａ      交差部分
３，３’  上側（第一）の固定部材
４        下側（第二の）固定部材
５        前側（一方）の板部
５ｃ      後面（内面）
６        上側（他方）の板部
６ｃ      下面（内面）
９，１０  スリット
１４      前向き（一方）のハーネス部分
１５      上向き（他方）のハーネス部分
１５ｄ    前端（側端）
１６      折り曲げ部
１６ａ    外端面
１６ｂ    内端面
２１ａ    上端（側端）
２４      収容室
２６      開口
２７      傾斜面
３３      隔壁
３４      突条（後端部）
【図１】
2010148282.tif 000003
【図２】
2010148282.tif 000004
【図３】
2010148282.tif 000005
【図４】
2010148282.tif 000006
【図５】
2010148282.tif 000007
【図６】
2010148282.tif 000008
【図７】
2010148282.tif 000009